(57)【特許請求の範囲】
【請求項１】
容器内の内容物を取り出すことができる取出し部に取り付けられる栓本体で、その取出し部の開口に対向する閉塞壁部に切り取り可能な環状の切取り線を形成して、その環状の切取り線で囲まれる離脱可能壁部をこの閉塞壁部に形成するとともに、その環状の切取り線の一部に近接してこの離脱可能壁部の外側に引掛部を連結した中栓を栓本体から取り外す際に、
環状の切取り線の一部に離脱可能壁部の外側から刃体を挿入して切取り線の一部に切断縁を付けた後、環状の切取り線の一部に挿入されて離脱可能壁部の内側に押し込まれた刃体により、離脱可能壁部を内側へ押し下げて切取り線の切断縁を広げる
ことを特徴とする中栓取外し方法。
【請求項２】
容器内の内容物を取り出すことができる取出し部に取り付けられる栓本体で、その取出し部の開口に対向する閉塞壁部に切り取り可能な環状の切取り線を形成して、その環状の切取り線で囲まれる離脱可能壁部をこの閉塞壁部に形成するとともに、その環状の切取り線の一部に近接してこの離脱可能壁部の外側に引掛部を連結した中栓を栓本体から取り外すための中栓取外し具において、
ホルダに取着した刃体はホルダの端縁から突出してホルダの端縁両側から刃先縁まで延びる側縁を有し、この刃体の両側縁のうち一方の側縁は、他方の側縁の対辺としてホルダの端縁から延びる第一縁部と、ホルダの端縁の対辺としてこの第一縁部と他方の側縁との間で延びる第二縁部とからなり、
環状の切取り線の一部に離脱可能壁部の外側から挿入されて切取り線の一部に切断縁を付ける尖端部が、この一方の側縁の第二縁部で刃先縁から所定範囲延びる延設部分と他方の側縁で刃先縁から所定範囲延びる延設部分との間に形成され、
この尖端部が環状の切取り線の一部に挿入されて離脱可能壁部の内側に押し込まれた際に離脱可能壁部を内側へ押し下げて切取り線の切断縁を広げる押圧部が、この一方の側縁の第二縁部で刃先縁から所定範囲延びる尖端部の延設部分とこの一方の側縁の第一縁部との間に形成されている
ことを特徴とする中栓取外し具。
【請求項３】
前記刃体において尖端部は押圧部に対し段差状をなして並んで押圧部から突出していることを特徴とする請求項２に記載の中栓取外し具。
【請求項４】
前記ホルダには前記中栓の引掛部に挿入して引掛部を栓本体の外側へ持ち上げることができる引掛腕部を形成したことを特徴とする請求項２または請求項３に記載の中栓取外し具。
【請求項５】
前記刃体の尖端部を前記栓本体の切取り線の一部に挿入する際に栓本体に当接し得るストッパを設けたことを特徴とする請求項２から請求項４のうちいずれか一つの請求項に記載の中栓取外し具。
【請求項６】
前記ホルダにおいて前記刃体は把持部の両端縁のうち一方の端縁に取着され、前記引掛腕部はこの把持部により兼用されていることを特徴とする請求項４に記載の中栓取外し具。
【請求項７】
前記ホルダは、前記引掛腕部を兼用する把持部と、前記刃体の尖端部を前記栓本体の切取り線の一部に挿入する際に栓本体に当接し得るストッパ腕部とを有し、その把持部に対しストッパ腕部を隙間をあけて並べたことを特徴とする請求項６に記載の中栓取外し具。
【発明の詳細な説明】
【技術分野】
【０００１】
本発明は、例えば液体などの内容物を収容した容器においてその取出し部に取り付けられた栓本体に設けられた特定構造の中栓を取り外すための中栓取外し方法及び中栓取外し具に関するものである。
【背景技術】
【０００２】
従来、下記特許文献１に記載された栓本体においては、容器の取出し部の開口に対向する閉塞壁部に切り取り可能な環状の切取り線が形成されて、その環状の切取り線で囲まれる離脱可能壁部がこの閉塞壁部に形成され、その環状の切取り線の一部に近接してこの離脱可能壁部の外側に引掛環が連結されている。中栓はこの離脱可能壁部と引掛環とからなる。この引掛環を手で引き上げると、環状の切取り線が離脱可能壁部に対する引掛環の連結部側からその連結部に対する反対側へ順次切断されて、栓本体から中栓が分離される。
【先行技術文献】
【特許文献】
【０００３】
【特許文献１】特開２００１−１８０７３１号公報
【特許文献２】特開２０００−１６４９３号公報
【発明の概要】
【発明が解決しようとする課題】
【０００４】
しかし、引掛環を手で引き上げて離脱可能壁部を環状の切取り線に沿って切断する際、離脱可能壁部に対する引掛環の連結部に対し反対側になる環状の切取り線の一部が最後に切断されて離脱可能壁部が切り離されるため、手で握った容器に生じる反動により、容器に収容された液体などの内容物が容器の取出し部の開口から飛び散ったり、引掛環の連結部に対し反対側になる環状の切取り線の一点部分に切断力が集中して中栓の離脱可能壁部に生じる反動により、中栓の離脱可能壁部に付着した液体などの内容物がその離脱可能壁部から飛び散ったりするおそれがあった。そのため、引掛環を手で引き上げる際には離脱可能壁部が切り離される直前に引き上げる力を弱めるように注意する必要があった。なお、従来の中栓取外し具としては特許文献２に開示されているが、この中栓取外し具では上記特定構造の中栓付き栓本体については利用することができない。
【０００５】
この発明は、上記特定構造の中栓付き栓本体について有効に利用することができる中栓取外し方法及び中栓取外し具を提供することを目的としている。
【課題を解決するための手段】
【０００６】
後記実施形態の図面（図１〜４に示す第１実施形態、図５〜７に示す第２実施形態、図８に示す第３実施形態、図９に示す第４実施形態）の符号を援用して本発明を説明する。
請求項１の発明にかかる中栓取外し方法（第１〜４実施形態に対応）においては、容器１８内の内容物を取り出すことができる取出し部１９に取り付けられる栓本体２０で、その取出し部１９の開口１９ａに対向する閉塞壁部２１に切り取り可能な環状の切取り線２２を形成して、その環状の切取り線２２で囲まれる離脱可能壁部２３をこの閉塞壁部２１に形成するとともに、その環状の切取り線２２の一部に近接してこの離脱可能壁部２３の外側に引掛部２６を連結した中栓２５を栓本体２０から取り外す際に、環状の切取り線２２の一部に離脱可能壁部２３の外側から刃体５を挿入して切取り線２２の一部に切断縁２２ａを付けた後、環状の切取り線２２の一部に挿入されて離脱可能壁部２３の内側に押し込まれた刃体５により、離脱可能壁部２３を内側へ押し下げて切取り線２２の切断縁２２ａを広げる。
【０００７】
請求項１の発明では、刃体５により、環状の切取り線２２で例えば引掛部２６の連結部２６ａに対する反対側からその連結部２６ａ側へ所定範囲の切断縁２２ａを予め広げることができる。そのような切断縁２２ａを有する中栓２５において、引掛部２６を手などで引き上げる場合、残った切取り線２２を切断するだけでよいため、切取り線２２の切断抵抗が小さくなって離脱可能壁部２３が切り離される反動も小さくなり、容器１８に収容された液体などの内容物が容器１８の取出し部１９の開口１９ａから飛び散ったり、中栓２５の離脱可能壁部２３に付着した液体などの内容物がその離脱可能壁部２３から飛び散ったりするおそれは少なくなる。
【０００８】
請求項２の発明にかかる中栓取外し具１は、第１〜４実施形態に対応し、容器１８内の内容物を取り出すことができる取出し部１９に取り付けられる栓本体２０で、その取出し部１９の開口１９ａに対向する閉塞壁部２１に切り取り可能な環状の切取り線２２を形成して、その環状の切取り線２２で囲まれる離脱可能壁部２３をこの閉塞壁部２１に形成するとともに、その環状の切取り線２２の一部に近接してこの離脱可能壁部２３の外側に引掛部２６を連結した中栓２５を栓本体２０から取り外すためのものであって、ホルダ２に取着した刃体５を有している。その刃体５は、ホルダ２の端縁３ａから突出してホルダ２の端縁３ａの両側から刃先縁７まで延びる側縁８，９を有している。例えば、この刃体５の両側縁８，９のうち他方の側縁９は一方の側縁８へ向けて凹んでいる。この刃体５の両側縁８，９のうち一方の側縁８は、他方の側縁９の対辺としてホルダ２の端縁３ａから延びる第一縁部１０と、ホルダ２の端縁３ａの対辺としてこの第一縁部１０と他方の側縁９との間で延びる第二縁部１１とからなる。例えば、この一方の側縁８の第二縁部１１はホルダ２の端縁３ａへ向けて凹んでいる。環状の切取り線２２の一部に、例えば、離脱可能壁部２３に対する引掛部２６の連結部２６ａに対し反対側になる環状の切取り線２２の一部に離脱可能壁部２３の外側から挿入されて切取り線２２の一部に切断縁２２ａを付ける尖端部１２が、この一方の側縁８の第二縁部１１で刃先縁７から所定範囲延びる延設部分１１ａと他方の側縁９で刃先縁７から所定範囲延びる延設部分９ａとの間に形成されている。この尖端部１２が環状の切取り線２２の一部に挿入されて離脱可能壁部２３の内側に押し込まれた際に離脱可能壁部２３を内側へ押し下げて切取り線２２の切断縁２２ａを例えば引掛部２６の連結部２６ａ側へ広げる押圧部１１ｂが、この一方の側縁８の第二縁部１１で刃先縁７から所定範囲延びる尖端部１２の延設部分１１ａとこの一方の側縁８の第一縁部１０との間に形成されている。例えば、この尖端部１２において、第二縁部１１の延設部分１１ａはホルダ２の端縁３ａへ向けて凹んでいるとともに、他方の側縁９の延設部分９ａは一方の側縁８へ向けて凹んでいる。
【０００９】
請求項２の発明では、刃体５の尖端部１２及び押圧部１１ｂによる機能により、環状の切取り線２２で例えば引掛部２６の連結部２６ａに対する反対側からその連結部２６ａ側へ所定範囲の切断縁２２ａを予め広げることができる。そのような切断縁２２ａを有する中栓２５において、引掛部２６を手などで引き上げる場合、残った切取り線２２を切断するだけでよいため、切取り線２２の切断抵抗が小さくなって離脱可能壁部２３が切り離される反動も小さくなり、容器１８に収容された液体などの内容物が容器１８の取出し部１９の開口１９ａから飛び散ったり、離脱可能壁部２３に付着した液体などの内容物がその離脱可能壁部２３から飛び散ったりするおそれは少なくなる。また、このような刃体５の形態により刃体５の尖端部１２及び押圧部１１ｂによる機能をより一層高めることができる。
【００１０】
請求項２の発明を前提とする請求項３の発明（第１〜４実施形態に対応）にかかる刃体５において、尖端部１２は押圧部１１ｂに対し段差状をなして並んで押圧部１１ｂから突出している。請求項３の発明では、このような刃体５の形態により刃体５の尖端部１２及び押圧部１１ｂによる機能を高めることができる。
【００１２】
請求項２または請求項３の発明を前提とする請求項４の発明（第１〜４実施形態に対応）において、前記ホルダ２には前記中栓２５の引掛部２６に挿入して引掛部２６を栓本体２０の外側へ持ち上げることができる引掛腕部４，３を形成している。請求項４の発明では、ホルダ２の引掛腕部４，３により引掛部２６を容易に引き上げることができる。
【００１３】
請求項２から請求項４のうちいずれか一つの請求項の発明を前提とする請求項５の発明（第１〜３実施形態に対応）において、前記刃体５の尖端部１２を前記栓本体２０の切取り線２２の一部に挿入する際に栓本体２０に当接し得るストッパ２７，３ａを設けた。請求項５の発明では、このストッパ２７，３ａにより、栓本体２０に対する刃体５の挿入を抑制することができる。
【００１４】
請求項４の発明を前提とする請求項６の発明（第２，４実施形態に対応）にかかるホルダ２において、前記刃体５は把持部３の両端縁３ａ，３ｂのうち一方の端縁３ａに取着され、前記引掛腕部はこの把持部３により兼用されている。請求項６の発明では、ホルダ２を簡単な形態にすることができる。
【００１５】
請求項６の発明を前提とする請求項７の発明（第２実施形態に対応）において、前記ホルダ２は、前記引掛腕部を兼用する把持部３と、前記刃体５の尖端部１２を前記栓本体２０の切取り線２２の一部に挿入する際に栓本体２０に当接し得るストッパ腕部２７とを有し、その把持部３に対しストッパ腕部２７を隙間２７ａをあけて並べている。請求項７の発明では、このストッパ腕部２７により、栓本体２０に対する刃体５の挿入を抑制することができるとともに、ホルダ２を把持し易い。
【００１６】
次に、請求項以外の技術的思想について実施形態の図面の符号を援用して説明する。
請求項２から請求項７のうちいずれか一つの請求項の発明を前提とする第８の発明（第１，３実施形態に対応）において、前記ホルダ２の端縁３ａには前記刃体５の両側縁８，９のうち他方の側縁９に面して突起１４を形成し、前記栓本体２０で閉塞壁部２１の外周から突出する外筒部２４の内側で前記刃体５の尖端部１２を閉塞壁部２１に挿入した際にこの外筒部２４がこの他方の側縁９と突起１４との間に入り込むようにしている。第８の発明では、ホルダ２の端縁３ａや突起１４が外筒部２４に当たってストッパとして機能し、刃体５の尖端部１２及び押圧部１１ｂによる機能をより一層高めることができる。
【００１７】
請求項４の発明を前提とする第９の発明（第１，３実施形態に対応）にかかるホルダ２において、前記刃体５は把持部３の両端縁３ａ，３ｂのうち一方の端縁３ａに取着され、前記引掛腕部４は把持部３の両端縁３ａ，３ｂのうち他方の端縁３ｂ側に形成されている。第９の発明では、刃体５と引掛腕部４とを互いに分けて把持部３に取着したので、中栓取外し具１を使い易い。
【００１８】
第９の発明を前提とする第１０の発明（第１実施形態に対応）にかかるホルダ２において、前記引掛腕部４は把持部３の両端縁３ａ，３ｂのうち他方の端縁３ｂ側からＵ状に屈曲され、把持部３と引掛腕部４との間に指入れ凹所６を形成している。第１０の発明では、指入れ凹所６に指を入れて把持部３を安定性良く把持することができる。また、把持部３の端縁３ａに取着した刃体５と引掛腕部４とを同じ向きにして使用することができるため、中栓取外し具１を使い易い。
【００１９】
請求項６または請求項７の発明、または第９の発明または第１０の発明を前提とする第１１の発明（第１実施形態に対応）にかかるホルダ２において、把持部３の両端縁３ａ，３ｂのうち他方の端縁３ｂ側には貫通孔１６を形成している。第１１の発明では、この貫通孔１６に指を入れて把持部３を安定性良く把持することができる。
【発明の効果】
【００２０】
本発明は、上記特定構造の中栓付き栓本体２０について有効に利用することができる中栓取外し方法及び中栓取外し具１を提供することができる。
【図面の簡単な説明】
【００２１】
【図１】（ａ）は第１実施形態にかかる中栓取外し具を示す正面図であり、（ｂ）は同じく側面図である。
【図２】（ａ）は容器の栓本体を示す部分斜視図であり、（ｂ）はその栓本体の断面図である。
【図３】（ａ）は第１実施形態にかかる中栓取外し具において刃体の使用開始状態を示す正面図であり、（ｂ）（ｃ）はそれぞれ（ａ）に示す刃体の作用説明図であり、（ｄ）は第１実施形態にかかる中栓取外し具において引掛腕部の使用開始状態を示す正面図である。
【図４】（ａ）（ｂ）（ｃ）はそれぞれ図３（ｄ）に示す引掛腕部の作用説明図である。
【図５】（ａ）は第２実施形態にかかる中栓取外し具を示す正面図であり、（ｂ）は同じく側面図であり、（ｃ）は同じく断面図である。
【図６】（ａ）は第２実施形態にかかる中栓取外し具において刃体の使用開始状態を示す正面図であり、（ｂ）（ｃ）（ｄ）はそれぞれ（ａ）に示す刃体の作用説明図である。
【図７】（ａ）は第２実施形態にかかる中栓取外し具において引掛腕部として兼用する把持部の使用開始状態を示す正面図であり、（ｂ）（ｃ）はそれぞれ（ａ）に示す引掛腕部の作用説明図であり、（ｄ）はこの引掛腕部の部分平面図である。
【図８】第３実施形態にかかる中栓取外し具を示す正面図である。
【図９】（ａ）は第４実施形態にかかる中栓取外し具を示す正面図であり、（ｂ）は同じく側面図である。
【発明を実施するための形態】
【００２２】
まず、本発明の第１実施形態にかかる中栓取外し具について図１〜４を参照して説明する。
図１（ａ）（ｂ）に示すように、この中栓取外し具１においては、ホルダ２が把持部３と引掛腕部４とによりなる。上下方向Ｚへ延びる把持部３の下端縁３ａ（一方の端縁）と上端縁３ｂ（他方の端縁）とのうち、下端縁３ａに刃体５がその下端縁３ａから下方へ突出して取着されている。上端縁３ｂの前側から引掛腕部４が下方へＵ状に屈曲されて形成されている。上下方向Ｚに対し直交する前後方向Ｘで並ぶ把持部３と引掛腕部４との間に指入れ凹所６が下方へ開放されて形成されている。この引掛腕部４は下端部に鉤部４ａを有し、その鉤部４ａ側で細く形成されている。
【００２３】
前記刃体５は、上下方向Ｚ及び前後方向Ｘに対し直交する左右方向Ｙの厚みを有する板状をなし、把持部３の下端縁３ａから下方へ突出している。この刃体５の周縁全体はその下端縁３ａの前後両側から刃先縁７まで延びる側縁８，９からなる。この刃体５の前後両側縁８，９のうち後側縁９（他方の側縁）は、この後側縁９の両端部を結ぶ想定面Ａに対し前側縁８（一方の側縁）へ向けて凹んでいる。この刃体５の前後両側縁８，９のうち前側縁８は、後側縁９の対辺として把持部３の下端縁３ａから延びる第一縁部１０と、その下端縁３ａの対辺としてこの第一縁部１０と後側縁９との間で延びる第二縁部１１とからなる。この前側縁８の第一縁部１０は、この第一縁部１０の両端部を結ぶ想定面（図示せず）にほぼ沿って延びている。この前側縁８の第二縁部１１は、この第二縁部１１の両端部を結ぶ想定面Ｂに対し把持部３の下端縁３ａへ向けて凹んでいる。この前側縁８の第二縁部１１において刃先縁７から所定範囲延びる延設部分１１ａと後側縁９で刃先縁７から所定範囲延びる延設部分９ａとの間には尖端部１２が形成されている。この尖端部１２の延設部分１１ａは上記想定面Ｂに対し把持部３の下端縁３ａへ向けて凹んでいる。この後側縁９の延設部分９ａは上記想定面Ａに対し前側縁８へ向けて凹んでいる。この前側縁８の第二縁部１１において刃先縁７から所定範囲延びる尖端部１２の延設部分１１ａとこの前側縁８の第一縁部１０との間には押圧部１１ｂが形成されている。この押圧部１１ｂは上記想定面Ｂへ向けて膨らんでいる。この尖端部１２はこの押圧部１１ｂに対し段差状をなして並んで押圧部１１ｂから突出している。また、把持部３の下端縁３ａには刃体５の後側縁９に面する突起１４がその後側縁９に対し隙間１５をあけて形成されている。
【００２４】
前記把持部３の上端縁３ｂ側にはペットボトルなどのキャップを回して開くことができる貫通孔１６（指入れ孔）が形成され、その貫通孔１６の内周にはそのキャップの外周に接触し得る柔軟部１６ａと滑止部１６ｂとが周方向で互いに並んで形成されている。また、この把持部３の上端縁３ｂには缶のプルトップを持ち上げることができるプルトップオープナー１７が突出して取着されている。なお、前記突起１４や刃体５もビン及び缶の蓋開けに利用することができる。
【００２５】
図２（ａ）（ｂ）及び図３（ａ）に示すように、容器１８内の内容物（液体など）を取り出すことができる取出し部１９には栓本体２０が取り付けられている。この栓本体２０においては、取出し部１９の開口１９ａに対向する閉塞壁部２１に切り取り可能な長環状の切取り線２２が形成されてその長環状の切取り線２２で囲まれる離脱可能壁部２３がこの閉塞壁部２１に形成され、その閉塞壁部２１の外周から円筒状の外筒部２４が上方へ突設されているとともに、この外筒部２４内には長環状の切取り線２２の一部に近接してこの離脱可能壁部２３の外側に対し連結部２６ａで一体に連結された引掛環２６（引掛部）を有する中栓２５が収容されている。
【００２６】
さて、中栓取外し具１を使用する場合には、まず、図３（ａ）に示すように容器１８と把持部３とを把持して刃体５を栓本体２０上に当てがい、図３（ｂ）に示すように刃体５を中栓２５の引掛環２６内に挿入し、引掛環２６の連結部２６ａに対し反対側になる切取り線２２の一部に対し尖端部１２の刃先縁７を当てがう。次に、その切取り線２２の一部にこの尖端部１２を挿入して離脱可能壁部２３の内側に押し込むと、その切取り線２２の一部に切断縁２２ａが生じるとともに、この尖端部１２に隣接する押圧部１１ｂがこの切断縁２２ａに隣接する離脱可能壁部２３に当てがわれる。図３（ｃ）に示すように、刃体５をさらに押し下げると、離脱可能壁部２３が押圧部１１ｂにより内側へ押し下げられて切取り線２２の切断縁２２ａが引掛環２６の連結部２６ａ側へ広げられる。その際、栓本体２０の外筒部２４が刃体５の後側縁９と突起１４との間の隙間１５に入り込む。また、刃体５の尖端部１２を栓本体２０の切取り線２２の一部に挿入する際に把持部３の下端縁３ａがストッパとして栓本体２０の外筒部２４上に当接し得る。
【００２７】
その後、図３（ｄ）に示すように中栓取外し具１の刃体５を栓本体２０上から離すとともに中栓取外し具１の引掛腕部４を栓本体２０上に当てがい、図４（ａ）に示すようにその引掛腕部４を中栓２５の引掛環２６内に挿入する。次に、図４（ｂ）に示すようにその引掛腕部４を寝かせてさらに挿入する。次に、図４（ｃ）に示すように、引掛腕部４を外筒部２４上に支えられたてことして引掛環２６を栓本体２０の外側へ持ち上げると、引掛環２６の連結部２６ａが屈曲してその連結部２６ａの付近で残った切取り線２２の一部も切断され、中栓２５の全体が閉塞壁部２１から分離されるとともに切取り線２２の全体で切断縁２２ａが生じて閉塞壁部２１にはその切取り線２２の切断縁２２ａで囲まれる長孔２１ａが形成される。なお、この引掛腕部４はその鉤部４ａ側で細く形成されているため、各種サイズの引掛環２６に引掛腕部４を挿入することができる。
【００２８】
次に、本発明の第２実施形態にかかる中栓取外し具について第１実施形態との相違点を中心に図５〜７を参照して説明する。
図５に示すように、この中栓取外し具１のホルダ２においては、第１実施形態における引掛腕部４が省略されているとともに、刃体５が取着された把持部３の下端縁３ａで第１実施形態における突起１４が省略され、第１実施形態における引掛腕部４がこの把持部３により兼用されている。また、ストッパ腕部２７（ストッパ）がこの把持部３の上端縁３ｂから把持部３に対し隙間２７ａをあけて平行に並ぶように刃体５の付近まで延設されている。このストッパ腕部２７の下端部には刃体５に対し開閉可能な蓋２８が支持されている。なお、前記貫通孔１６の内周に形成された柔軟部１６ａの形態が変更されている。
【００２９】
この中栓取外し具１を使用する場合には、まず、図６（ａ）（ｂ）に示すように容器１８とホルダ２とを把持して刃体５を栓本体２０上に当てがう。その際、刃体５の使い方は、図６（ｃ）（ｄ）に示すように、第１実施形態と同様であるが、図６（ｄ）に示すように刃体５の尖端部１２を栓本体２０の切取り線２２の一部に挿入する際にストッパ腕部２７の下端部が栓本体２０の外筒部２４上に当接し得る。
【００３０】
その後、図７（ａ）に示すように、刃体５の使用直後に、刃体５を閉塞壁部２１から上方へ離して引掛環２６の下方まで移動させる。次に、図７（ｂ）に示すように把持部３を刃体５とともに寝かせてさらに挿入する。次に、図７（ｃ）に示すように、把持部３を外筒部２４上に支えられたてことして引掛環２６を栓本体２０の外側へ持ち上げると、引掛環２６の連結部２６ａが屈曲してその連結部２６ａの付近で残った切取り線２２の一部も切断され、中栓２５の全体が閉塞壁部２１から分離されるとともに切取り線２２の全体で切断縁２２ａが生じて閉塞壁部２１にはその切取り線２２の切断縁２２ａで囲まれる長孔２１ａが形成される。なお、図７（ｄ）に示すように、この把持部３は刃体５側で細く形成されているため、各種サイズの引掛環２６に把持部３を挿入することができる。
【００３１】
次に、本発明の第３実施形態にかかる中栓取外し具について第１実施形態との相違点を中心に図８を参照して説明する。
この中栓取外し具１のホルダ２において、引掛腕部４は把持部３の上端縁３ｂの前側から前方へＬ状に屈曲されて形成され、この引掛腕部４の下方で把持部３の前側から突設された指当て部６ａとこの引掛腕部４との間に指入れ凹所６が形成されている。この中栓取外し具１を使用する場合に、刃体５や引掛腕部４の使い方は第１実施形態と同様である。
【００３２】
図９に示す第４実施形態にかかる中栓取外し具については、中栓取外し具１のホルダ２においては、第１実施形態における引掛腕部４が省略されているとともに、刃体５が取着された把持部３の下端縁３ａで第１実施形態における突起１４が省略され、第１実施形態における引掛腕部４がこの把持部３により兼用されている。従って、ホルダ２を簡単な形態にすることができる。
【００３３】
本実施形態は下記の効果を有する。
（１）  第１〜４実施形態では、前述したように、特定の形態をなす刃体５の尖端部１２及び押圧部１１ｂによる機能により、環状の切取り線２２で引掛環２６の連結部２６ａに対する反対側からその連結部２６ａ側へ所定範囲例えばＵ状の切断縁２２ａを予め広げることができるので、引掛環２６を手や引掛腕部４や把持部３（引掛腕部）で引き上げる場合、残った切取り線２２を切断するだけでよく、切取り線２２の切断抵抗が小さくなって離脱可能壁部２３が切り離される反動も小さくなり、刃体５の尖端部１２及び押圧部１１ｂによる機能を高めて中栓取外し具１を使い易い。すなわち、手で握った容器１８に生じる反動が小さくなり、容器１８に収容された液体などの内容物が容器１８の取出し部１９の開口１９ａから飛び散りにくくなる。また、引掛環２６の連結部２６ａに対し反対側になる環状の切取り線２２においてＵ状の切断縁２２ａの両端部に切断力が分散して中栓２５の離脱可能壁部２３に生じる反動が小さくなり、中栓２５の離脱可能壁部２３に付着した液体などの内容物がその離脱可能壁部２３から飛び散りにくくなる。
【００３４】
（２）  第１，３実施形態では、前述したように、刃体５の尖端部１２及び押圧部１１ｂにより切断縁２２ａを予め広げた引掛環２６をホルダ２の引掛腕部４によるてこを利用して軽い力で容易に引き上げることができ、また、第２，４実施形態では、前述したように、引掛環２６をホルダ２の把持部３（引掛腕部）によるてこを利用して軽い力で容易に引き上げることができるので、刃体５の尖端部１２及び押圧部１１ｂによる機能を高めて中栓取外し具１を使い易いとともに、中栓２５の引掛環２６が折損されにくい。また、指が入りにくい引掛環２６であっても、中栓２５を栓本体２０から容易に取り外すことができる。
【００３５】
（３）  第１〜４実施形態では、前述したように、特定の形態をなす刃体５の尖端部１２を鋭利にするので、刃体５の尖端部１２及び押圧部１１ｂによる機能を高めて中栓取外し具１を使い易い。
【００３６】
（４）  第２実施形態では、前述したように、ストッパ腕部２７が栓本体２０の外筒部２４に当たって栓本体２０に対する刃体５の挿入を抑制するので、中栓取外し具１を使い易い。
【００３７】
前記実施形態以外にも例えば下記のように構成してもよい。
・  前記実施形態では板状の刃体５を採用したが、棒状の刃体を採用したりして、刃体５の形態を適宜変更してもよい。
【００３８】
・  前記実施形態の刃体５において、後側縁９の両端部を結ぶ想定面Ａにほぼ沿って後側縁９を設けたり、前側縁８の第二縁部１１の両端部を結ぶ想定面Ｂにほぼ沿って第二縁部１１を設けたりして、刃体５の形態を適宜変更してもよい。その際、尖端部１２は、後側縁９の延設部分９ａと第二縁部１１の延設部分１１ａとがなす刃先縁７の角度をある程度鋭利にすることが必要である。
【００３９】
・  前記実施形態では、中栓取外し具１を利用する栓本体２０として、中栓２５の閉塞壁部２１に長環状の切取り線２２を形成してその切取り線２２の切断後に長孔２１ａが生じるものを例示したが、円形状や菱形状などの各種形状の切取り線を形成して円形状や菱形状などの各種形状の孔が生じる栓本体に対し中栓取外し具１を利用するようにしてもよい。
【符号の説明】
【００４０】
１…中栓取外し具、２…ホルダ、３…把持部、３ａ…ホルダの下端縁（一方の端縁、ストッパ）、３ｂ…ホルダの上端縁（他方の端縁）、４…引掛腕部、５…刃体、７…刃先縁、８…前側縁（一方の側縁）、９…後側縁（他方の側縁）、９ａ…後側縁の延設部分、１０…前側縁の第一縁部、１１…前側縁の第二縁部、１１ａ…第二縁部の延設部分、１１ｂ…第二縁部の押圧部、１２…尖端部、１８…容器、１９…容器の取出し部、１９ａ…取出し部の開口、２０…栓本体、２１…閉塞壁部、２２…切取り線、２２ａ…切断縁、２３…離脱可能壁部、２５…中栓、２６…引掛環（引掛部）、２６ａ…引掛環の連結部、２７…ストッパ腕部（ストッパ）、２７ａ…隙間。
【図１】
0005579509.tif 000002
【図２】
0005579509.tif 000003
【図３】
0005579509.tif 000004
【図４】
0005579509.tif 000005
【図５】
0005579509.tif 000006
【図６】
0005579509.tif 000007
【図７】
0005579509.tif 000008
【図８】
0005579509.tif 000009
【図９】
0005579509.tif 000010